(57)【要約】【課題】  ハードディスクドライブを有する制御部により制御される電子写真式印刷装置において、停電などによるＡＣ電源の遮断時のハードディスクドライブ破損を防止し、且つ省電力モードに対応するようにする。【解決手段】  印刷動作の制御を行う本体制御部と、前記本体用ＤＣ電源と、画像データ処理及び上位との通信を行い前記本体の制御を行うコントローラ部と、前記コントローラ部用ＤＣ電源と前記コントローラ部に接続されたハードディスクドライブを有する印刷装置において、前記印刷装置に供給されるＡＣ入力電圧の低下を検出する回路部を設け、ＡＣ入力電圧の低下を前記コントローラ部に通知し、ハードディスクドライブへのアクセス動作を停止する事を特徴とする。【選択図】図１
2005035227.tif 000002
【特許請求の範囲】
【請求項１】
印刷動作の制御を行う本体制御部と、前記本体用ＤＣ電源と、画像データ処理及び上位との通信を行い前記本体の制御を行うコントローラ部と、前記コントローラ部用ＤＣ電源と前記コントローラ部に接続されたハードディスクドライブを有する印刷装置において、前記印刷装置に供給されるＡＣ入力電圧の低下を検出する回路部を設け、ＡＣ入力電圧の低下を前記コントローラ部に通知し、ハードディスクドライブへのアクセス動作を停止する事を特徴とする印刷装置。
【請求項２】
前記ＡＣ入力電圧の低下を検出する時間を前記コントローラ部用ＤＣ電源の出力が低下する時間より短く、且つＡＣ入力電圧低下時の出力保持時間特性ならびに電圧ディップ等のイミュニティ試験規制に対応できる時間より長く設定したことを特徴とする請求項１に記載の印刷装置。
【請求項３】
エナジースター規制対応等の省電力モード移行時には、前記本体用用ＤＣ電源を断とし、前記コントローラ部用ＤＣ電源をオンしたままとすることを特徴とする請求項１に記載の印刷装置。
【請求項４】
エナジースター規制対応等の省電力モード状態から、ＡＣ入力電圧低下時にＡＣ入力の低下を前記コントローラ部に通知し、ハードディスクドライブへのアクセス動作を停止する事を特徴とする請求項１に記載の印刷装置。
【請求項５】
本体用ＤＣ電源へのＡＣ入力電圧を検出する回路及びＡＣ入力電圧低下を通知する信号発生回路と、コントローラ部用ＤＣ電源へのＡＣ入力電圧を検出する回路及びＡＣ入力電圧低下を通知する信号発生回路とを個別に設け、省電力モードを達成可能としたことを特徴とする請求項１記載の印刷装置。
【発明の詳細な説明】
【技術分野】
【０００１】
本発明は、レーザビームプリンタや複写機などの印刷装置に関するものである。
【背景技術】
【０００２】
電子写真式印刷装置における従来の電源構成、制御方式を図２を用いて説明する。印刷装置の画像データ処理及び上位装置との通信制御を行うハードディスクドライブ１４を含むコントローラ部１２や、印刷装置の状態を表示するオペレータパネル１６にＤＣ電源を供給する為のコントローラ用電源装置１はＡＣ電源２を入力とし、フィルタ部３を経由した電源を入力とするＤＣ出力回路部４によりＤＣ＋５Ｖ、ＤＣ＋１２Ｖを生成し、出力している。また、このコントローラ用電源装置１はＡＣ電源２が遮断された事を検出する入力電圧低下検出回路Ａ７と入力電圧低下検出を契機にＤＣ出力が低下する前にそれを事前に知らせるパワーオフ信号発生回路部Ａ８を有しており、ＡＣ電源２が遮断された場合は本パワーオフ信号信号発生回路Ａ８からパワーオフ信号がコントローラ部１２に発行される。
【０００３】
一方、主に印刷動作を行う本体部分用の電源供給用としてコントローラ用電源１とは個別に本体用電源装置１５が設けられており、コントローラ用電源装置１と同様ＡＣ電源２を入力とし、ＤＣ＋５Ｖ、ＤＣ＋２４Ｖ、ＡＣ２００Ｖ等を生成し、本体制御部１３に供給している。この本体用電源装置１５より供給されたＤＣ／ＡＣ出力は、電子回路用ＩＣへの給電や用紙ジャム等を検出するセンサ、用紙搬送・現像機のモータ駆動、及びトナーを熱定着する為の熱ロールの熱源であるヒータランプの点灯等に使用されている。
【０００４】
次に停電などによりＡＣ電源２が遮断された場合の動作について説明する。ＡＣ電源２が遮断された時、コントローラ用電源装置１内部の電圧低下検出回路Ａ７にて電圧の低下を検出し、パワーオフ信号発生回路部Ａ８によりパワーオフ信号がコントローラ部１２に発行される。コントローラ部１２では本信号を受信するとハードディスクドライブ１４へのデータ待避を行い、パワーオフ信号が発行された一定時間後はハードディスクドライブ１４へのアクセスを停止することで、ハードディスクドライブ１４の破損等が発生しないように保護している(例えば、特許文献１参照。)。
【０００５】
本制御構成を有する印刷装置においては、電圧低下検出回路及びパワーオフ信号発生回路を有したコントローラ用電源装置１を設けることが必要であるが、汎用の標準スイッチング電源装置で本機能を有しているものは稀である。また汎用パーソナルコンピュータ向けの電源装置では本機能を有した電源は一般的であるが、オフィス向けだけでなく業務用の出力装置として使用される印刷装置としての信頼性を確保している電源装置はなく、専用にカスタム電源製作する必要があり、開発費用、型代等のコストがかかると共に電源の開発期間が印刷装置の開発期間にプラスして必要になる、という課題があった。
【０００６】
次に、無停電電源装置１７を使用した従来の給電構成、制御方式を図３を用いて説明する。印刷装置のコントローラ用電源装置１の前段に無停電電源装置１７を設けており、無停電電源装置１７を経由したＡＣ電源をコントローラ用電源装置１に供給している。この無停電電源装置１７は停電を検出した時に、内蔵の電池からＡＣ電源を供給するような供給経路に切り替え、数分〜数十分の間ＡＣ電源をコントローラ用電源装置１に継続して出力する機能を有している。また無停電電源装置１７で検出した停電をコントローラ部１２に報告する為の信号線を有している。
【０００７】
この様な構成を有する印刷装置においては停電発生時に停電検出信号が無停電電源装置１７からコントローラ部１２に対して発行され、本信号を受信したコントローラ部１２は前記と同様ハードディスクドライブ１４へのアクセスを停止し、ハードディスクドライブ１４の破損等が発生しないよう保護している。この間無停電電源装置１７からコントローラ用電源装置１に対して継続してＡＣ電源が供給されており、コントローラ用電源装置１はＤＣ出力を継続して出力する。この為、コントローラ部１２は停電の影響を受けることなく停止処理を完了できる(例えば、特許文献２参照。)。
【０００８】
停電が解除された時は無停電電源装置１７はＡＣ電源の供給を内臓の電池からではなくＡＣ電源２をそのまま出力する経路に切り替える。また無停電電源装置１７からコントローラ部１２に対して発行されていた停電検出信号を解除され、コントローラ部はイニシャライズ動作を開始し、スタンバイ状態へと移行する。
【０００９】
しかし、この様な無停電電源装置１７を設ける構成は、停電時のハードディスクドライブ１４の保護装置としては十分である一方、無停電電源装置１７を設けるが為に高コスト化してしまう、という課題があった。
【００１０】
次に、電子写真式印刷装置における別の給電構成、制御方式を図４を用いて説明する。本体用電源装置１５はＡＣ電源２を入力とし、フィルタ部３を経由した電圧からＤＣ出力回路部４によりＤＣ＋５Ｖ、ＤＣ＋２４Ｖ、ＡＣ２００Ｖを生成し、出力している。またＡＣ出力回路部５を経由しＡＣ電圧をコントローラ用電源装置１に供給している。これらの出力は主に印刷動作の制御を行う本体制御部１３に供給され、電子回路用ＩＣへの給電や用紙ジャム等を検出するセンサ、用紙搬送・現像機のモータ駆動、及びトナーを熱定着する為の熱ロールの熱源であるヒータランプの点灯等に使用されている。また、本体用電源装置１５を経由したＡＣ２００Ｖ出力はコントローラ用電源装置１に接続されており、本コントローラ用電源装置１より画像データ処理、上位装置との通信制御を行うコントローラ部１２に対してＤＣ＋５Ｖ、ＤＣ＋１２Ｖが供給されている。本体用電源装置１５は入力電圧が遮断された事を検出する入力電圧低下検出回路Ａ７と入力電圧低下検出を契機にＤＣ出力が低下する前にそれを事前に知らせるパワーオフ信号発生回路Ａ８を有しており、ＡＣ電源２が遮断された場合は本パワーオフ信号信号発生回路Ａ８からパワーオフ信号が発行される。本パワーオフ信号はコントローラ部１２及び本体制御部１３に接続されている。また、本体用電源装置１５は外部からのリモート信号によりＤＣ出力をオンオフする回路を補助電源回路部６内に有し、一方コントローラ部１２にはこの本体用電源装置１５の出力をオンオフ制御する回路を設けている。また、印刷装置用電源装置１は外部からのリモート信号によりＤＣ出力をオンオフする回路を補助電源回路部６内に有し、一方コントローラ部１２にはこの本体用電源装置１５の出力をオンオフ制御する回路を設けている。
【００１１】
ＡＣ電源２が遮断された場合は、本体用電源装置１５内部の電圧低下検出回路Ａ７にて電圧の低下を検出し、パワーオフ信号発生回路部Ａ８によりパワーオフ信号が発行される。本パワーオフ信号は本体制御部１３のリセット回路に接続されており、本体制御部１３はリセット動作に移行する。また、コントローラ部１２では本信号を受信するとハードディスクドライブ１４へのデータ待避を行い、パワーオフ信号が発行された一定時間後はハードディスクドライブ１４へのアクセスを停止し、ハードディスクドライブ１４の破損等が発生しないような処理を行っている。
【００１２】
本制御構成を有する印刷装置においては、本体用電源装置１５のＤＣ出力をコントローラ部１２から発行されるリモートオフ信号により遮断し、オペレータパネル１６、コントローラ部１２に給電しているコントローラ用電源電源装置１のみ定常出力状態にすることで、印刷装置の省電力状態を作ることが可能である。しかし、一般に電源装置のパワーオフ信号は入力電圧遮断時にＤＣ出力が低下する前に発行することが必要条件である為、リモートオフ信号が本体用電源装置１５に発行された場合にも、リモートオフ信号と同期してパワーオフ信号発生回路部Ａ８からコントローラ部１２及び本体制御部１３に対してパワーオフ信号が発行される。パワーオフ信号を受信したコントローラ部１２はＡＣ電源２遮断時と同様の停止処理を行う為、本状態からの復帰がＡＣ電源２のオフオン意外に不可能になる、という問題があった。また、コントローラ部１２に対して本パワーオフ信号を接続しない構成とする場合は、前記の状態は回避できるが、ＡＣ電源２が遮断されたことを知り得る契機がなくなる為、コントローラ部１２がハードディスクドライブ１４に対してデータの読み込み、書き込みを行っている間にＡＣ電源２がオフされる可能性があり、場合によってはハードディスクドライブ１４が破損してしまう、という問題があった。
【００１３】
【特許文献１】特開平０７−１５３１７２号公報
【００１４】
【特許文献２】特開平０５−１９８９９号公報
【発明の開示】
【発明が解決しようとする課題】
【００１５】
本発明の目的は、本体制御部用電源装置とコントローラ部用電源装置を個別に有する電子写真式印刷装置において、コントローラ部のデータ記録用に使用しているハードディスクドライブの故障を回避する方法を比較的低コストで実現し、且つ省電力モードに対応することである。
【課題を解決するための手段】
【００１６】
上記目的は、ＡＣ電源の電圧低下を検出する回路と、電圧低下を検出した時にコントローラ部に対して電圧低下を通知する回路を設けることによって達成される。
【発明の効果】
【００１７】
本発明によれば、複数のスイッチング電源を有し、ソフトウェア、印刷装置の印刷情報などを記録するハードディスクドライブを有する制御部を有する印刷装置においてＡＣ電源遮断時にハードディスクドライブを保護する装置を比較的案化に実現でき、且つ省電力モードを実現することが可能となる。
【発明を実施するための最良の形態】
【００１８】
以下、本発明の実施例を図面を用いて説明する。
【実施例】
【００１９】
以下に本発明の実施例を図１により説明する。
【００２０】
１はコントローラ部１２及びハードディスクドライブ１４への給電を行うコントローラ用電源装置、２はＡＣ電源、３は本体用電源装置１５内のフィルタ、４はＤＣ出力回路部、５はＡＣ出力回路部、６は本体用電源装置１５のアラーム検出、リモート信号による出力オンオフ制御、及び入力電圧検出等を行う補助電源回路部、７は入力電圧を検出する電圧低下検出回路部Ａ、８は電圧低下検出回路部Ａ７により検出された入力電圧低下を契機にパワーオフ信号を発行するパワーオフ信号発生回路部Ａ、９は本体用電源装置１５のＡＣ出力回路部５より出力されたＡＣ出力の電圧を検出する電圧検出回路Ｂ１０と、電圧検出回路Ｂ１０により検出された入力電圧低下を契機にパワーオフ信号を発行するパワーオフ信号発生回路部Ｂ１１を内蔵するＡＣ電圧検出・報告回路部、１２は画像データ処理、上位装置との通信制御を行うコントローラ部、１３は印刷動作の制御を行う本体制御部、１４はコントローラ部１２からのデータ書き込み、読み出しを行うハードディスクドライブ、１５はＡＣ電源２を入力としＤＣ＋５Ｖ、ＤＣ＋２４Ｖ及びＡＣ２００Ｖを印刷装置の用紙搬送、現像、転写、定着等の印刷の挙動を制御する本体制御部１３に供給する印刷装置の本体用電源装置、１６は印刷装置のオペレータパネルである。
【００２１】
本体用電源装置１５内に設けた電圧低下検出回路部Ａ７、及びパワーオフ信号発生回路部Ａ８、及び本体制御部１３の構成は従来の技術に示したものと同様である。本発明は、従来の制御構成に加えてＡＣ電圧検出・報告回路部９を設けている。このＡＣ電圧検出・報告回路部９には電圧低下検出回路Ｂ１０及び、コントローラ部１２から発行されるパワーオフ信号と同期せず、ＡＣ電源２の電圧低下のみを契機にパワーオフ信号を発行するパワーオフ信号発生回路部Ｂ１１を新たに設けている。ただし、パワーオフ信号発生回路部Ｂ１１がＡＣ入力電圧低下を検出してからパワーオフ信号を発行するまでの時間を、コントローラ用電源装置１のＡＣ入力電圧低下時の出力保持時間より短く、且つ印刷装置に対する瞬断等のイミュニティ試験規制に対応できるよう長く設定する。
【００２２】
まず、印刷装置のＡＣ電源２をオフした場合の動作について説明する。印刷装置のＡＣ電源２をオフした場合は、ＡＣ電源２の電圧低下を本体用電源装置１５の電圧低下検出回路Ａ７及び電圧低下検出回路Ｂ１０が検出し、各々パワーオフ信号発生回路部Ａ８、パワーオフ信号発生回路部Ｂ１１から本体制御部１３、コントローラ部１２に対してパワーオフ信号を発行する。本体制御部１３では本パワーオフ信号をリセット回路に取込んでおり、パワーオフ信号受信によりリセット動作を行う。またコントローラ部１２はパワーオフ信号を受信するとハードディスクドライブ１４へのデータ待避を行い、停止処理に移行する。これにより印刷装置は、ＡＣ電源２の電圧が低下し、本体制御部１３及びコントローラ部１２の電源電圧が低下する過渡状態において規定外の挙動を行なわないよう制御し、またハードディスクドライブ１４の破損などを防止する。本構成においてはＡＣ電圧検出・報告回路部９をコントローラ電源装置１５と個別に設けていることにより、コントローラ電源装置１５としては、パワーオフ信号を持たない汎用の標準電源を選定することが可能となる。また汎用の標準電源であっても、その出力保持時間は電源により異なる場合が多く、この場合は選定した標準電源の出力保持時間を考慮し、ＡＣ電源２の低下を検出してからパワーオフ信号を発行するまでの時間を可変できるようなボリュームをＡＣ電圧検出・報告回路部９内のパワオフ信号発生回路部１１に設けることで、出力保持時間の異なる各種の標準電源に対応可能となる。
【００２３】
次に、省電力モード方式への対応方法について説明する。所定の時間、印刷装置に上位装置からの印刷指示が行われず、またオペレータによる操作が行われない場合に印刷装置は省電力モードに移行する。この時、本体用電源装置１５はコントローラ部１２からのリモートオフ信号を補助電源回路部６で受信し、ＤＣ出力回路部４のＤＣ出力及びＡＣ出力回路部５のＡＣ出力を遮断し、またパワーオフ信号発生回路部Ａ８から本体制御部１３にパワーオフ信号を発行する。パワーオフ信号を受信した本体制御部１３は前述のＡＣ電源２オフ時と同様の動作を行う。 一方コントローラ部１２に対してはパワーオフ信号が発行されない為、オペレータパネル１６及びコントローラ部１２は動作可能状態にある。この状態は消費電力をより消費する本体制御部１３への給電が遮断され、且つ本体用電源装置１５のＤＣ出力回路部４の動作が停止する為、印刷装置全体の消費電力を大きく低減でき、省電力モードへの対応を容易に実現できる。この省電力モード時に上位装置から印刷指示、またはオペレータによりオペレータパネル１６にアクセスが行われた場合は、省電力モードを解除する為、コントローラ部１２は本体用電源装置１５に対してリモートオン信号を発行する。リモートオン信号を受信すると、本体用電源装置１５はそのＤＣ出力回路部４が動作を開始しＤＣが出力される。また、ＤＣ＋５Ｖが立ち上がると本体制御部１３に対して発行していたパワーオフ信号を解除する。パワーオフ信号が解除されたことにより、本体制御部１３はイニシャライズ動作を開始し、スタンバイ状態に移行する。コントローラ部１２から印刷指示が行われている場合は継続して印刷動作に移行する。
【００２４】
次に、前記の省電力モードからＡＣ電源２を遮断した時の動作について説明する。省電力モード状態にある印刷装置のＡＣ電源２を遮断した場合は、ＡＣ電源２が遮断されたことを電圧低下検出回路部Ｂ１０により検出し、パワーオフ信号発生回路部Ｂ１１からコントローラ部１２に対してパワーオフ信号を発行する。パワーオフ信号を受信したコントローラ部１２は前記のＡＣ電源２遮断時と同様とコントローラ用電源装置１の出力が低下する前にハードディスクドライブ１４へのデータ待避等を完了し、電源オフに備える。これにより、省電力モードからＡＣ電源２が遮断された場合においてもハードディスクドライブ１４の破損を防止することが可能となる。
【図面の簡単な説明】
【００２５】
【図１】本発明の印刷装置の一実施例における電源部・制御部ブロック図。
【図２】従来の印刷装置における電源部・制御部ブロック図。
【図３】従来の印刷装置における他の電源部・制御部ブロック図。
【図４】従来の印刷装置における更に他の電源部・制御部ブロック図。
【符号の説明】
【００２６】
１はコントローラ用電源装置、２はＡＣ電源、３はフィルタ部、４はＤＣ出力回路部、５はＡＣ出力回路部、６は補助電源回路部、７は電圧低下検出回路部Ａ          、８はパワーオフ信号発生回路部Ａ、９はＡＣ電圧検出・報告回路部、１０は電圧低下検出回路部Ｂ、１１はパワーオフ信号発生回路部Ｂ、１２はコントローラ部、１３は本体制御部、１４はハードディスクドライブ、１５は本体用電源装置、１６はオペレータパネル、１７は無停電電源装置である。
【図１】
2005035227.tif 000003
【図２】
2005035227.tif 000004
【図３】
2005035227.tif 000005
【図４】
2005035227.tif 000006